(57)【要約】【課題】  従来のロープへの貝の取付け構造は、作業が煩雑で、コスト高であり、貝も安定せず、抜け易かった。【解決手段】  線状体を使用し、その線状体に接着剤を付着させたり、線状体に貝抜止め材、ロープ抜止め材を接着剤又は超音波溶着で取付けたり、線状体の一部の面積を広げたりして、貝抜止め部、ロープ抜止め部を形成して、又は線状体を環状にしたり、降り返したりして、貝を取付けるものである。線状体の一部の面積を広げる場合、広げた箇所に接着剤を付着するか、又は貝抜止め材を線状体の接着剤或は超音波溶着により取付けるかして、貝抜止め部、ロープ抜止め部を形成することもできる。貝をロープの両外側又は片方の外側に、一個又は数個、配置することができる。数個、取付けた場合は、それら貝の間にも貝抜止め部を形成することができる。本件貝取付け構造を、海中へ吊り下げるロープに間隔をあけて多数、設けることができる。【選択図】図１
2006129799.tif 000002
【特許請求の範囲】
【請求項１】
ロープの孔とロープの外側に配置された貝の孔に繊維、糸、紐等の線状体が貫通され、貝及びロープの外側に突出する線状体のうち、貝の外側に線状体が貝の孔から抜けるのを阻止する貝抜止め部が形成され、貝抜止め部は接着剤が貝の孔よりも大きな塊となるように線状体に付着されたことを特徴とするロープへの貝取付け構造。
【請求項２】
ロープの孔とロープの外側に配置された貝の孔に線状体が貫通され、貝及びロープの外側に突出する線状体のうち、貝の外側に線状体が貝の孔から抜けるのを阻止する貝抜止め部が、ロープの外側に線状体がロープの孔から抜けるのを阻止するロープ抜止め部が形成され、貝抜止め部、ロープ抜止め部は、接着剤が貝の孔よりも大きな塊となるように線状体に付着されたことを特徴とするロープへの貝取付け構造。
【請求項３】
貝の孔に線状体が貫通され、貝の外側に突出する線状体のうち、貝の外側に線状体が貝の孔から抜けるのを阻止する貝抜止め部が形成され、線状体がロープに接着剤又は超音波溶着で接着され、貝抜止め部は接着剤が貝の孔よりも大きな塊となるように線状体に付着されたことを特徴とするロープへの貝取付け構造。
【請求項４】
請求項１乃至請求項３のいずれかに記載のロープへの貝取付け構造において、貝抜止め部、ロープ抜止め部は、線状体に抜止め材が接着剤又は超音波溶着で取付けられたことを特徴とするロープへの貝取付け構造。
【請求項５】
請求項１乃至請求項３のいずれかに記載のロープへの貝取付け構造において、貝抜止め部、ロープ抜止め部は、貝の孔、ロープの孔よりも広くなるように線状体の面積が広げられたことを特徴とするロープへの貝取付け構造。
【請求項６】
請求項１乃至請求項３のいずれかに記載のロープへの貝取付け構造において、貝抜止め部、ロープ抜止め部は、貝の孔、ロープの孔よりも広くなるように線状体の面積が広げられ、広げられた箇所に接着剤が付着されるか、抜止め材が接着剤或は超音波溶着で取付けられたことを特徴とするロープへの貝取付け構造。
【請求項７】
ロープの孔とロープの外側に配置された貝の孔に線状体が貫通され、その線状体が環状に曲げられ、その両端部同士が接着剤又は超音波溶着で接着されたことを特徴とするロープへの貝取付け構造。
【請求項８】
ロープの孔とロープの外側に配置された貝の孔に線状体が貫通され、貝及びロープの外側に突出する線状体の突出部が折り返されて、線状体の貝とロープの間に接着剤又は超音波溶着で接着されたことを特徴とするロープへの貝取付け構造。
【請求項９】
貝の孔に線状体が貫通され、その線状体が環状に曲げられて、線状体の両端部同士が接着剤又は超音波溶着で接着され、環状の線状体の外周又は内周がロープに接着剤又は超音波溶着で接着されたことを特徴とするロープへの貝取付け構造。
【請求項１０】
請求項４又は請求項６記載のロープへの貝取付け構造において、抜止め材が線状又はチップ状であることを特徴とするロープへの貝取付け構造。
【請求項１１】
請求項１乃至請求項１０のいずれかに記載のロープへの貝取付け構造において、貝がロープの両外側又は片外側に、一個又は数個、配置されたことを特徴とするロープへの貝取付け構造。
【請求項１２】
請求項１１記載のロープへの貝取付け構造において、ロープの両外側又は片外側に数個取付けられた貝の間にも、貝抜止め部が形成されたことを特徴とするロープへの貝取付け構造。
【請求項１３】
請求項１乃至請求項１２のいずれかに記載のロープへの貝取付け構造が、海中へ吊り下げるロープに、その軸方向に間隔をあけて多数、設けられたことを特徴とするロープへの貝取付け構造。
【発明の詳細な説明】
【技術分野】
【０００１】
本発明は帆立貝や真珠貝等の各種貝の耳吊養殖に使用されるロープへの貝取付け構造に関するものである。
【背景技術】
【０００２】
帆立貝の養殖方法の一つとして耳吊養殖がある。これは、海中に張った横ロープに、帆立貝を取り付けた縦ロープを多数本吊るし、海中で帆立貝を成長させる養殖方法である。
【０００３】
縦ロープへ帆立貝を取付けるために、従来、種々の形状の係止具（通称、「ピン」）が使用されている。図１０（ａ）に示す貝係止具Ａは、細長丸棒状のプラスチック製の基材Ｂの中央部にロープＣ（図１０ｂ参照）の抜けを防止するロープ止め突起Ｄが形成され、基材Ｂのロープ止め突起Ｄの両外側に同突起Ｄ側に突出して、貝の抜けを防止する貝止め突起Ｅが形成されている。また、貝係止具Ａには、ロープ止め突起倒伏部Ｆと貝止め突起倒伏部Ｇが形成されている。貝止め突起倒伏部Ｇは、基材Ｂの外周面より一段低く形成されて貝止め突起Ｅを倒伏し易くしてある。（特許文献１参照）。
【０００４】
従来は、２０本前後の貝係止具Ａを一定間隔で平行に並べて梯子状に連結した連結貝係止具（通称「シートピン」）もある（特許文献２参照）。更に、数千〜数万本の貝係止具Ａを一定間隔で平行に並べて、貝係止具間を可撓性連結具で連結してロール状に巻いたロール状係止具（通称「フープピン」）がある（特許文献２参照）。
【０００５】
従来は貝の孔に樹脂製のテグスを差込み、その端部に抜け止め突起を形成したり、端部を折り返して抜け止め部を形成したりする貝係止方法もある。（特許文献３参照）。
【０００６】
図１０（ａ）の貝係止具Ａを用いて帆立貝ＨをロープＣに取付けるには、図１０（ｂ）に示すように、貝係止具ＡをロープＣの孔に差込み、ロープ止め突起ＤがロープＣに係止して貝係止具ＡがロープＣから抜けないようにし、その貝係止具Ａを帆立貝Ｈの耳Ｉに開口してある孔Ｊに差込み、帆立貝Ｈが貝止め突起Ｅに係止して貝係止具Ａから抜けないようにしている。同様にして、１本のロープＣに縦方向に数十個の貝を取付け、そのロープＣの上端を横ロープに取り付けている。
【０００７】
【特許文献１】意匠登録第７６６００１号の類似２の公報。
【特許文献２】特許第３５４５３９８号公報。
【特許文献３】特開昭５９−１８３６３７号公報。
【発明の開示】
【発明が解決しようとする課題】
【０００８】
図１０（ａ）の貝取付け具を用いたロープへの貝取付け構造や、特許文献１〜３記載のロープへの貝取付け構造には、次のような課題がある。
（１）図１０（ａ）に示す貝係止具Ａは金型で成型されるため金型代が高く、貝係止具Ａのコスト高に繋がる。
（２）貝係止具Ａはそれを帆立貝Ｈの孔Ｊに差込むときに貝止め突起Ｅが貝止め突起倒伏部Ｇに倒伏するが、貝止め突起倒伏部Ｇの根元側が肉厚であるため、帆立貝Ｈの孔Ｊはその根元部分が通る大きさにしなければならない。そのため、帆立貝Ｈの孔Ｊが大きくなり、帆立貝Ｈの成長に支障を来たす。
（３）貝止め突起Ｅとロープ止め突起Ｄの間に、貝止め突起Ｄが倒伏できる分の広さを確保しなければならないため、貝係止具Ａが長くなる。貝係止具Ａが長いと、ロープＣに取付けた貝係止具Ａの先端側が帆立貝Ｈの重みで下向きになるため、１本のロープＣに多数の貝係止具Ａを取付けた場合、上下の貝係止具Ａの間を広くしないと、上下の貝係止具Ａに取付けられた帆立貝Ｈ同士が接触して、成長が阻害される。その障害を避けるために上下の貝係止具Ａの間を広くすると、１本のロープＣに吊るすことの出来る帆立貝Ｈの数が少なくなり、ロープＣを有効活用できない。
（４）貝係止具Ａを用いて帆立貝Ｈを取付ける場合には、海中で帆立貝Ｈが回転し、貝係止具Ａが強くねじられると、貝係止突起Ｅが貝止め突起倒伏部Ｇに巻きついてしまい、帆立貝Ｈが貝係止具Ａから抜けてしまい、歩留まりが悪くなることもある。
（５）シートピンの場合は、ロープＣに差込むときに、貝係止具Ａを１本づつ分離しなければならないため、切断機が必要になり、切断時に両側の連結棒（ランナー）が残り、ゴミとなり、その廃棄処分が難しい。
（６）フープピンの場合は、ロール状に巻かれているため、その端部から連続的に引出しながら貝係止具Ａを１本づつ分離しながらロープＣに差し込むが、巻かれている貝係止具Ａの貝止め突起Ｅ同士が絡まって連続的に引出しにくい。
（７）特許文献３の係止方法では、テグスの両端部を加熱融着するため、融着に時間がかかり、作業性が悪い。また、加熱融着した部分が折れて脱落することもあり、帆立貝がテグスから外れて歩留まりが悪くなることもある。
【課題を解決するための手段】
【０００９】
本発明は繊維、糸、紐等の線状体、例えば、テグスを使用して、貝をロープに取付けたものであり、貝の孔が小さくとも差込み容易であり、抜止め作業も容易で、コスト減にも資するロープへの貝取付け構造を提供するものである。
【００１０】
本件出願のロープへの貝取付け構造の一つは、ロープの孔とその外側に配置された貝の孔に繊維、糸、紐等の線状体が貫通され、貝及びロープの外側に突出する線状体のうち、貝の外側に貝抜止め部が形成され、貝抜止め部は接着剤が線状体に貝の孔よりも大きな塊となって付着されたものである。
【００１１】
本件出願のロープへの貝取付け構造の他の一つは、ロープの孔とその外側に配置された貝の孔に線状体が貫通され、貝及びロープの外側に突出する線状体のうち、貝の外側に貝抜止め部が、ロープの外側にロープ抜止め部が形成され、貝抜止め部は接着剤が線状体に貝の孔よりも大きな塊となって付着され、ロープ抜止め部は接着剤が線状体にロープの孔よりも大きな塊となって付着されたものである。
【００１２】
本件出願のロープへの貝取付け構造の他の一つは、貝の孔に線状体が貫通され、貝の外側に突出する線状体のうち、貝の外側に線状体が貝の孔から抜けるのを阻止する貝抜止め部が形成され、線状体がロープに接着剤又は超音波溶着で接着され、貝抜止め部は接着剤が貝の孔よりも大きな塊となるように線状体に付着されたものである。
【００１３】
前記貝取付け構造は、線状体に接着剤を取付けて貝抜止め部、ロープ抜止め部が形成されているが、本発明では貝の孔とロープの孔に貫通した線状体の突出部のうち、貝の外側に、線状、チップ状等の任意形状の抜止め材を接着剤又は超音波溶着で取付けて、貝抜止め部、ロープ抜止め部を形成することもできる。
【００１４】
本発明では、ロープの孔とその外側に配置された貝の孔に貫通した線状体の突出部のうち、貝の外側の面積を広くして、貝の孔、ロープの孔から抜けるのを阻止する貝抜止め部、ロープ抜止め部を形成することもできる。この場合、面積が広げられた箇所に接着剤を付着するか、又は貝抜止め材を線状体の接着剤或は超音波溶着により取付けるかして、貝抜止め部、ロープ抜止め部を形成することもできる。
【００１５】
本件出願のロープへの貝取付け構造の他の一つは、ロープの孔とロープの外側に配置された貝の孔に線状体が貫通され、その線状体が環状に曲げられ、その両端部同士が接着剤又は超音波溶着で接着されたものである。
【００１６】
本件出願のロープへの貝取付け構造の他の一つは、ロープの孔とロープの外側に配置された貝の孔に線状体が貫通され、貝及びロープの外側に突出する線状体の突出部が折り返されて、線状体の貝とロープの間に接着剤又は超音波溶着で接着されたものである。
【００１７】
本件出願のロープへの貝取付け構造の他の一つは、貝の孔に線状体が貫通され、その線状体が環状に曲げられて、線状体の両端部同士が接着剤又は超音波溶着で接着され、環状の線状体の外周又は内周がロープに接着剤又は超音波溶着で接着されたものである。
【００１８】
本発明では、貝をロープの両外側又は片方の外側に、一個又は数個、配置することができる。数個取付けた場合は、それら貝の間にも貝抜止め部を形成することができる。
【００１９】
本発明では、前記したロープへの貝取付け構造を、海中へ吊り下げるロープに、その軸方向に間隔をあけて多数、設けることができる。
【発明の効果】
【００２０】
本件出願のロープへの貝取付け構造は、線状体を使用し、その線状体に接着剤を付着させたり、線状体に貝抜止め材、ロープ抜止め材を接着剤又は超音波溶着で取付けたり、線状体の一部の面積を広げたりして、貝抜止め部、ロープ抜止め部を形成して貝を取り付けたり、又は線状体を環状にしたり、折り返したりして、貝を取付けたりするので次のような効果がある。
（１）ロープへの貝の取付けに線状体を使用するので、既存のテグスを使用することができ、コストが低減する。また、テグスは、金型による樹脂成型品よりも強度が高く、耐久性もある。このため、線状体が切れて、貝が脱落することもない。また、線状体が細い直線状であるため貝の孔、ロープの孔が小さくても差込みが容易である。このため、貝の孔を小さくして貝の成長が阻害されないようにすることもできる。
（２）貝の孔、ロープの孔に差込んだ線状体を所望長に切断するだけで、貝係止具が形成されるので、切り屑が発生せず、線状体の無駄がなく、廃棄物も発生せず、環境への悪影響もない。また、コスト低減にも資する。
（３）線状体は、リール、ドラム等の芯材に巻いてコンパクトにまとめておくことができるため、保管、運搬等の取扱いに便利である。また、貝抜止め部、ロープ抜止め部が従来の貝止め突起、ロープ止め突起のような突片ではないため、芯材に巻いたり、芯材から引き出したりしても、貝抜止め部、ロープ抜止め部同士が絡まることがなく、線状体がスムースに引出されるため、貝の孔、ロープの孔への線状体の差込み作業も円滑になる。
（４）線状体を貝の孔、ロープの孔に差込んでから、線状体に接着剤を付着させるものであるため、貝抜止め部とロープ抜止め部との間の間隔を狭くして貝をロープに取付けることができ、線状体に係止した貝の海中でのスライド幅が狭くなり、貝がスライドして貝抜止め部へ当っても衝撃が少なく、貝抜止め部が線状体から脱落することも無く、貝の落下もない。
（５）貝抜止め部、ロープ抜止め部を接着剤や超音波溶着で形成するため、それらを瞬時に形成することができ、ロープへの貝の係止作業の高速化が可能となる。
（６）線状体に接着する抜止め材に線状体の切れ端や、樹脂の廃材等を有効活用できるため、省資源にも貢献できる。
（７）線状体をロープに接着して貝をロープに取付ける場合は、ロープに孔を開口する必要がなく、ロープへの貝の係止作業を更に高速化することができる。
（８）ロープに貫通した一本の線状体の両外側又は片外側に貝を数個取付けることができるので、１本のロープに少ない本数の線状体で多くの貝を吊下げることもできる。
（９）海中へ吊り下げるロープの軸方向に、間隔をあけて多数本の線状体を貫通し、それら線状体に貝が係止されているので、海中への貝の吊り下げが容易になる。
【発明を実施するための最良の形態】
【００２１】
本発明のロープへの貝取付け構造の実施形態を、貝が帆立貝の場合を例として、図１〜図９に基づいて説明する。
【００２２】
（実施形態１）
図１（ａ）に示す実施形態のロープへの貝取付け構造は、ロープ２の孔７を貫通した線状体３の両側突出部が、帆立貝（以下「貝」とする。）１の耳９に開口された孔８を貫通して、貝１をロープ２の両外側に一個ずつ係止させ、夫々の貝１の外側と内側に接着剤を付着させて貝抜止め部４とロープ抜止め部５を設けてある。貝抜止め部４は貝１の孔８の径よりも大きな塊にして貝の抜けを防止できるようにし、ロープ抜止め部５はロープ２の孔７の径よりも貝１の孔８の径よりも大きな塊にして、線状体３及びロープ２が横スライドしてもロープ抜止め部５に当ってそれ以上は横スライドしないようにしてある。
【００２３】
図１（ｂ）に示すロープへの貝取付け構造は、図１（ａ）の場合と同様にロープ２の両外側に貝１が一つずつ配置されたものであるが、ロープ２の外側にロープ抜止め部５を設けずに、貝１の外側に接着剤による貝抜止め部４だけを設けたものである。この場合の線状体３、接着剤は図１（ａ）の場合と同様のものを使用することができる。
【００２４】
図１（ｃ）に示すロープへの貝取付け構造は、ロープ２の片外側にのみ貝１を配置し、ロープ２の孔７、貝１の孔８を貫通した線状体３のうち、ロープ２の外側のロープ側突出部に接着剤によるロープ抜止め部５を、貝１の外側の貝側突出部に接着剤による貝抜止め部４を設けたものである。この場合の線状体３、接着剤も図１（ａ）の場合と同様のものを使用することができる。
【００２５】
図１（ｄ）に示すロープへの貝取付け構造も、ロープ２の片外側にのみ貝１を配置したものであり、ロープ２の孔７、貝１の孔８を貫通した線状体３のうち、ロープ２の両外側のロープ側突出部に接着剤によるロープ抜止め部５を設け、貝１の外側の貝側突出部に接着剤による貝抜止め部４を設けたものである。この場合の線状体３、接着剤も図１（ａ）の場合と同様のものを使用することができる。
【００２６】
（実施形態２）
図２（ａ）に示すロープへの貝取付け構造は、図１（ａ）の場合と同様にロープ２の両外側に貝１が一つずつ配置され、貝１及びロープ２の外側に突出する線状体３の突出部のうち、夫々の貝１の外側に貝抜止め部４を、ロープ２の両外側にロープ抜止め部５を設けたものである。この場合の貝抜止め部４、ロープ抜止め部５は、線状体３に線状の貝抜止め材１０及びロープ抜止め材１１を交差させ、それを接着剤とか超音波溶着等で線状体３に取付けて、貝抜止め材１０及びロープ抜止め材１１により貝１が線状体３から脱落しないようにし、線状体３がロープ２から抜けないようにしてある。
【００２７】
図２（ｂ）に示すものは、貝１がロープ２の両外側に一個ずつ取付けられ、貝１及びロープ２の外側に突出する線状体３の突出部のうち、貝１の両外側に線状の貝抜止め材１０を交差させ、それを接着剤とか超音波溶着等で線状体３に取付けて、貝抜止め材１０により貝抜止め部４を形成して、貝１が線状体３から脱落せず、線状体３がロープ２から抜けないようにしてある。
【００２８】
図２（ｃ）に示すものは、貝１がロープ２の外側片方にだけ取付けられ、貝１及びロープ２の外側に突出する線状体３の突出部のうち、貝１の外側に貝抜止め材１０を、ロープ２の外側に線状のロープ抜止め材１１を夫々交差させ、それらを接着剤とか超音波溶着等で線状体３に取付けて、貝抜止め材１０により貝抜止め部４を、ロープ抜止め材１１によりロープ抜止め部５を形成して、貝１が線状体３から脱落せず、線状体３がロープ２から抜けないようにしてある。
【００２９】
図２（ｄ）に示すものは、貝１がロープ２の外側片方にだけ取付けられ、貝１及びロープ２の外側に突出する線状体３の突出部のうち、貝１の外側に線状の貝抜止め材１０を、ロープの両外側に線状のロープ抜止め材１１を夫々交差させ、それらを接着剤とか超音波溶着等で線状体３に取付けて、貝抜止め材１０により貝抜止め部４を、ロープ抜止め材１１によりロープ抜止め部５を形成して、貝１が線状体３から脱落せず、線状体３がロープ２から抜けないようにしてある。
【００３０】
図２（ａ）〜（ｄ）の貝抜止め材１０、ロープ抜止め材１１は、図２（ｅ）〜（ｇ）に示すような形状、或はこれら以外の形状のチップであってもよい。これらチップは樹脂材の切れ端などであり、いずれの形状のチップの場合も、貝１の孔８及びロープ２の孔７の径より大きいものが用いられる。これらチップも接着剤又は超音波溶着で線状体３に取付けられる。
【００３１】
（実施形態３）
図３（ａ）に示すロープへの貝取付け構造は、図１（ａ）の場合と同様にロープ２の両外側に貝１が一つずつ配置され、貝１及びロープ２の外側に突出する線状体３の突出部のうち、夫々の貝１の外側に貝抜止め部４を、ロープ２の両外側にロープ抜止め部５を設けたものである。この場合の貝抜止め部４、ロープ抜止め部５は線状体３の面積を貝１の孔８、ロープ２の孔７の径よりも広くして、それら貝抜止め部４及びロープ抜止め部５により貝１が線状体３から脱落しないようにし、線状体３がロープ２から抜けないようにしてある。
【００３２】
図３（ｂ）に示すものは、貝１がロープ２の両外側に一個ずつ取付けられ、貝１及びロープ２の外側に突出する線状体３の突出部のうち、貝１の両外側の面積を貝１の孔８、ロープ２の孔７の径よりも広くした貝抜止め部４を形成して、貝抜止め部４により貝１が線状体３から脱落せず、線状体３がロープ２から抜けないようにしてある。
【００３３】
図３（ｃ）に示すものは、貝１がロープ２の外側片方にだけ取付けられ、貝１及びロープ２の外側に突出する線状体３の突出部のうち、貝１の外側とロープ２の外側の面積を貝１の孔８、ロープ２の孔７の径よりも広くした貝抜止め部４、ロープ抜止め部５を形成して、貝抜止め部４、ロープ抜止め部５により貝１が線状体３から脱落せず、線状体３がロープ２から抜けないようにしてある。
【００３４】
図３（ｄ）に示すものは、貝１がロープ２の外側片方にだけ取付けられ、貝１及びロープ２の外側に突出する線状体３の突出部のうち、貝１の外側に貝抜止め部４を、ロープ２の両外側にロープ抜止め部５を夫々形成してある。これら貝抜止め部４、ロープ抜止め部５の夫々は、線状体３の面積を貝１の孔８、ロープ２の孔７の径よりも広くして、貝１が線状体３から脱落せず、線状体３がロープ２から抜けないようにしてある。
【００３５】
線状体３の面積を広くするには、線状体３を圧潰したり、熱や振動を加えて軟化させて変形させたりする等、任意の方法によることができる。線状体３を潰すにはペンチ、万力等、任意の圧潰装置を用いることができる。線状体３に熱や振動を加える場合も、任意の装置を用いることができる。線状体３の面積を広くした箇所に接着剤を付着させたり、線状の抜止め材を交差させ、それを接着剤や超音波溶着等で接着して、貝抜止め部４やロープ抜止め部５を補強したり、面積を広くした箇所の外径を大きくしたりすることもできる。
【００３６】
（実施形態４）
実施形態４は、図４（ａ）〜（ｄ）に示すように線状体３の両端部を折り返して、貝１、ロープ２の抜けを防止可能な大きさの径のリング１２を形成し、リング１２の端部を線状体３の貝１の外側又はロープ２の外側に接着剤又は超音波溶着等の手段で本体部に接着してある。また、図４（ａ）ではロープ２の両外側に接着剤を付着させてロープ抜止め部５を形成してあり、図４（ｄ）ではロープ２の外側片方の貝１の内側に接着剤を付着させてロープ抜止め部５を形成してある。
【００３７】
（実施形態５）
実施形態５は、図５（ａ）（ｂ）に示すようにロープ２の孔７と貝１の孔８に線状体３を貫通し、その線状体３を環状に曲げて、その両端部同士を接着剤で接着してある。線状体３の両端部同士の接着は、図５に示す接着剤には限られず、超音波溶着によることもできる。線状体３の両端部同士は、図に示すように重ねて接着するほか、並べて接着することもできる。図５（ａ）ではロープ２の片外側に貝１を取付けてある。この場合、貝１は、図に示すように左右交互に配置されることがバランス上望ましい。また、図５（ｂ）では、ロープ２の両外側に貝１を取付けてある。
【００３８】
（実施形態６）
実施形態６は、図６（ａ）〜（ｃ）に示すようにロープ２の孔７と貝１の孔８に線状体３を貫通し、その線状体３のうち、貝１の孔８を貫通して外側に突出した突出部を折り返して、線状体３の貝１とロープ２の間に接着剤で接着してある。前記突出部と線状体３の接着は、図６に示す接着剤には限られず、超音波溶着によることもできる。図６（ａ）ではロープ２の両外側に貝１を取付けてある。図６（ｂ）（ｃ）では、ロープ２の片外側に貝１を取付けてある。図６（ｂ）では、ロープ２の外側のロープ側突出部を折り返して、線状体３に接着剤で接着してある。図６（ｃ）では、ロープ２の外側のロープ側突出部を折り返さずに、接着剤によるロープ抜止め部５を設けてある。
【００３９】
（実施形態７）
実施形態７は、図７（ａ）〜（ｄ）に示すように、貝１の孔８に線状体３を貫通し、その線状体３のうち、貝１の外側に突出した突出部に、接着剤を貝１の孔８よりも大きな塊となるように線状体３に付着して、線状体３が貝１の孔８から抜けるのを阻止する貝抜止め部４を形成し、線状体３をロープ２に接着剤で接着したものである。前記各実施形態とは異なり、本実施形態ではロープ２に孔７を開口していない。線状体３とロープ２の接着は、図７に示す接着剤には限られず、超音波溶着によることもできる。図７（ａ）（ｂ）ではロープ２の両外側に貝１を取付けて、線状体３の両端に、接着剤を付着させた貝抜止め部４を形成して、線状体３の中央部分をロープ２に接着剤で接着している。図７（ｃ）（ｄ）では、ロープ２の片外側に貝１が取付けてあり、線状体３の一端に貝抜止め材１０を接着剤又は超音波溶着で取付けて貝抜止め部４を形成して、線状体３の他端をロープ２に接着剤で接着している。また、貝抜止め部４は、線状体３の一部を変形させて面積を広げて形成することもできる（図３参照）。
【００４０】
（実施形態８）
実施形態８は、図８（ａ）〜（ｃ）に示すように、貝１の孔８に線状体３を貫通し、その線状体３を環状に曲げて、線状体３の両端部同士を接着剤で接着し、環状の線状体３をロープ２に接着剤で接着したものである。本実施形態も、前記実施形態７と同様にロープ２に孔７を開口していない。線状体３の両端部同士の接着及び線状体３とロープ２の接着は、図８に示す接着剤には限られず、超音波溶着によることもできる。図８（ａ）では、環状の線状体３の接着部分を、ロープ２に接着剤で接着している。図８（ｂ）では、環状の線状体３の内周を、ロープ２に接着剤で接着している。図８（ｃ）では、環状の線状体３の内周を、ロープ２に接着剤で二箇所接着している。
【００４１】
（実施形態９）
図９のロープへの貝取付け構造は、貝１をロープ２の両外側又は外側片方に２個ずつ取付け、それを、ロープ２の軸方向（横方向）に間隔をあけて多段に取付けたものである。この場合は、夫々の貝１の両側に接着剤を塗布して貝１の孔８よりも大きな塊の貝抜止め部４を形成して各貝１の線状体３からの抜けを阻止してある。貝抜止め部４は図９の下方部分に示すように、夫々の貝１の外側にだけ設けるとか、その他、任意の箇所に設けることができる。その場合、接着剤だけでなく、線状或はチップ状の抜止め具を接着させたり、線状体３の面積を広げたりして貝抜止め部、ロープ抜止め部を形成することができる。
【００４２】
前記いずれの実施形態の場合も、ロープ２には、樹脂製や他の素材製の編ロープ、テープ状部材等を使用することができる。
【００４３】
前記いずれの実施形態の場合も、線状体３には、ナイロン、フロロカーボン、ＰＥ（高分子ポリエチレンン）といった各種素材製のテグスや他の素材製の繊維、糸、線等を使用することができる。いずれの場合も、貝１の耳９に開けた孔８に挿入可能な太さであって、できるだけ細い物が望ましく、又、吊り下げた貝１の荷重で切断しない強度のものが使用される。貝１の孔８に２本以上挿入可能な太さであれば２本以上を差し込んで、強度を持たせることもできる。線状体３は長尺のものがリール、ドラム等に巻かれており、それを使用時に引出してロープ２の孔７と貝１の孔８に貫通し、必要な長さに切断して使用することができる。
【００４４】
前記いずれの実施形態の場合も、前記接着剤には、固形、エマルジョン系、溶剤系、無溶剤系、ホットメルト（いずれも形態による分類）等々、乾燥型、湿気硬化型、二液反応硬化型、ＵＶ硬化型、嫌気型、ＵＶ嫌気型（いずれも硬化方法による分類）等々を使用することができる。いずれの場合も、線状体３と接着し易く、線状体３から剥離しにくいものが使用される。
【００４５】
前記前記いずれの実施形態の場合も、ロープ２の孔７と貝１の孔８は、ロープ２と貝１にドリル等の穿孔装置で別々に開けることも、ロープ２の外側に貝１を配置して、貝１からロープ２まで貫通して両者に一緒に開口することもできる。
【００４６】
ロープの孔７と貝の孔８への線状体３の貫通は、各種方法で行なうことができるが、例えば、ロープ２の孔７に線状体３を貫通させてから貝１の孔８に貫通させるとか、ロープ２の孔７と貝１の孔８を揃えておき、一方の孔から他方の孔まで一気に貫通させるとか、ロープ２の外側に貝１を配置し、穿孔装置で貝１からロープ２まで貫通して孔をあけ、孔あけ後に穿孔装置が後退するときに、穿孔装置で線状体３を引いてロープ２の孔７と貝１の孔８に線状体３を貫通させる等することができる。
【００４７】
上記ロープへの貝取付け構造は、図５のように、貝の耳吊養殖におけるロープ（縦ロープ）２に、その軸方向（上下方向）に間隔をあけて多数段設けて使用される。
【００４８】
（その他の実施形態）
本発明のロープへの貝取付け構造の貝抜止め部、ロープ抜止め部の位置、形状、接着方法等は、前記した実施形態のものに限られる事なく、任意とすることができる。
【産業上の利用可能性】
【００４９】
本発明のロープへの貝取付け構造は、帆立貝のみならず、真珠貝、牡蠣、鮑等の他の貝のロープへの取付け構造にも応用することができる。
【図面の簡単な説明】
【００５０】
【図１】接着剤を付着させて貝抜止め部、ロープ抜止め部を形成する、本発明のロープへの貝取付け構造の実施形態例を示す正面説明図。（ａ）〜（ｄ）は、各種実施例を示す。
【図２】抜止め材を取付けて貝抜止め部、ロープ抜止め部を形成する、本発明のロープへの貝取付け構造の実施形態例を示す正面説明図。（ａ）〜（ｄ）は、各種実施例を示す。また、（ｅ）〜（ｇ）は、抜止め材の各種形状を示す。
【図３】線状体の面積を広げて貝抜止め部、ロープ抜止め部を形成する、本発明のロープへの貝取付け構造の実施形態例を示す正面説明図。（ａ）〜（ｄ）は、各種実施例を示す。
【図４】線状体の端部を曲げて、貝の抜けを規制可能な径のリングを形成する、本発明のロープへの貝取付け構造の実施形態例を示す正面説明図。（ａ）〜（ｄ）は、各種実施例を示す。
【図５】線状体を環状に曲げてその両端部同士を接着した、本発明のロープへの貝取付け構造の実施形態例を示す正面説明図。（ａ）、（ｂ）は、各種実施例を示す。
【図６】線状体のうち、貝の孔を貫通して外側に突出した突出部を折り返して、線状体の貝とロープの間に接着した、本発明のロープへの貝取付け構造の実施形態例を示す正面説明図。（ａ）〜（ｃ）は、各種実施例を示す。
【図７】接着剤を付着させて貝抜止め部を形成し、線状体をロープに接着した、本発明のロープへの貝取付け構造の実施形態例を示す説明図。（ａ）、（ｃ）は、各種実施例を示す正面説明図。（ｂ）、（ｄ）は、夫々前記（ａ）、（ｃ）に示す実施例の平面説明図。
【図８】線状体を環状に曲げて両端部同士を接着し、環状の線状体をロープに接着した、本発明のロープへの貝取付け構造の実施形態例を示す説明図。（ａ）、（ｂ）は、各種実施例を示す正面説明図。（ｃ）は、他の実施例を示す平面説明図。
【図９】貝をロープの両外側又は外側片方に２個ずつ取付け、それを、ロープの軸方向（横方向）に間隔をあけて多段に取付けたロープへの貝取付け構造の実施形態例を示す正面説明図。
【図１０】（ａ）は、従来の貝取付け具を示す斜視図。（ｂ）は、（ａ）に示す貝取付け具を用いて貝を係止した様子を示す斜視説明図。
【符号の説明】
【００５１】
１  貝
２  ロープ
３  線状体
４  貝抜止め部
５  ロープ抜止め部
７  孔（ロープ）
８  孔（貝）
９  耳
１０  貝抜止め材
１１  ロープ抜止め材
１２  リング
【図１】
2006129799.tif 000003
【図２】
2006129799.tif 000004
【図３】
2006129799.tif 000005
【図４】
2006129799.tif 000006
【図５】
2006129799.tif 000007
【図６】
2006129799.tif 000008
【図７】
2006129799.tif 000009
【図８】
2006129799.tif 000010
【図９】
2006129799.tif 000011
【図１０】
2006129799.tif 000012